(57)【要約】【課題】この発明は、排水用水位センサとオーバフロー用水位センサとを、泡や微生物などによる不要な干渉を受けずに確実に機能させることができ、排水タンク及びエレメントケースからのオーバフローを確実に検出することを目的とする。【解決手段】この発明は、エレメントケースは、排水用ケース部と、オーバフロー用ケース部とを備え、排水用ドレーン配管を備え、オーバフロー用ドレーン配管を備え、排水タンクは、排水用タンク部と、オーバフロー用タンク部とを備え、排水用水位センサを備え、オーバフロー用水位センサを備え、排水用タンク部の水位が排水用水位に達したことを排水用水位センサが検出した場合、排水ポンプを駆動して排水用タンク部の水を排出し、オーバフロー用タンク部に水が有ることをオーバフロー水位センサが検出した場合、給水バルブを閉じて気化エレメントへの給水を停止する制御部を備えることを特徴とする。【選択図】図１
2015075248.tif 000002
【特許請求の範囲】
【請求項１】
給水機構で供給される水を気化エレメントにより気化させて空気を加湿するとともに、前記気化エレメントを支持するエレメントケースに落下した水を排水タンクに貯めて排水機構により排出する加湿機の漏水防水装置において、前記エレメントケースは、前記気化エレメントから落下する水を貯める排水用ケース部と、この排水用ケース部の貯留最高水位を越えた水を貯めるオーバフロー用ケース部と、を備え、前記排水用ケース部は排水用ドレーン配管を備え、前記オーバフロー用ケース部はオーバフロー用ドレーン配管を備え、前記排水タンクは、前記排水用ケース部から前記排水用ドレーン配管で排出される水を溜める排水用タンク部と、この排水用タンク部の貯留最高水位を越えた水を貯めるとともに前記オーバフロー用ケース部からオーバフロー用ドレーン配管で排出される水を溜めるオーバフロー用タンク部とを備え、前記排水用タンクの水位が排水用水位に達したことを検出する排水用水位センサを備え、前記オーバフロー用タンク部の水の有無を検出するオーバフロー用水位センサを備え、前記排水用タンク部の水位が排水用水位に達したことを前記排水用水位センサが検出した場合、前記排水機構の排水ポンプを駆動して前記排水用タンク部の水を排出するとともに、前記オーバフロー用タンク部に水が有ることを前記オーバフロー水位センサが検出した場合、前記給水機構の給水バルブを閉じて前記気化エレメントへの給水を停止する制御部を備えることを特徴とする加湿機の漏水防止装置。
【発明の詳細な説明】
【技術分野】
【０００１】
この発明は加湿機の漏水防止装置に係り、特に、加湿機の排水経路の異常を検出し、加湿機外への漏水を未然に防止することができる加湿機の漏水防止装置に関する。
【背景技術】
【０００２】
室内などの空気を加湿する加湿機には、例えば、図２に示すものがある。図２において、加湿機１０１は、給水機構１０２で供給される水を気化エレメント１０３により気化させて空気を加湿する。給水機構１０２は、給水バルブ１０４を有する給水配管１０５と、給水配管１０５で給水される水を気化エレメント１０３に滴下する散水器１０６と、を備えている。気化エレメント１０３は、吸水性を有し、エレメントケース１０７により支持される。エレメントケース１０７は、気化エレメント１０３から落下した水を受ける。
加湿機１０１は、気化エレメント１０３からエレメントケース１０７に落下して貯まった水を排水タンク１０８に貯めて排水機構１０９により排出する。排水タンク１０８は、エレメントケース１０７から排水用ドレーン配管１１０で排出される水を溜める。排水機構１０９は、排水タンク１０８の水を排出する排水ポンプ１１１を有する排水配管１１２を備え、排水タンク１０８の水が排水用水位Ａ１に達したことを検出する排水用水位センサ１１３を備え、排水タンク１０８の水が貯留最高水位Ａ２に達したことを検出するオーバフロー用水位センサ１１４を備えている。
【０００３】
前記給水バルブ１０４と排水ポンプ１１１と排水用水位センサ１１３とオーバフロー用水位センサ１１４とは、漏水防止装置１１５を構成する制御部１１６に接続されている。制御部１１６は、排水タンク１０８の水位が排水用水位Ａ１に達したことを排水用水位センサ１１３が検出した場合、排水ポンプ１１１を駆動して排水タンク１０８の水を排水配管１１２で外部に排出する。また、制御部１１６は、排水タンク１０８の水が貯留最高水位Ａ２に達したことをオーバフロー用水位センサ１１４が検出した場合、給水バルブ１０４を閉じて気化エレメント１０３への給水を停止する。これにより、漏水防止装置１１５は、排水タンク１０８から外部への漏水を防止する。
【０００４】
このような水を使用する機器の漏水防止装置として、特許文献１には、電気を利用して機能水を生じせしめる機能水生成器において、漏水した水を溜める水受け部と、水受け部に溜まった漏水を検知する漏水検知部と、漏水検知部からの信号を受け機能水生成器の動作を制御する制御部を備えたものがある。
【先行技術文献】
【特許文献】
【０００５】
【特許文献１】特開２００１−４７０２９号公報
【発明の開示】
【発明が解決しようとする課題】
【０００６】
ところで、図２に示す加湿機１０１において、排水タンク１０８は不要な水を貯めると微生物汚染の原因になる事から、必要最小限の容量となるように排水タンク１０８の深さを設計している。
そのため、排水用水位センサ１１３、又は排水ポンプ１１１の吸い込み口とオーバフロー用水位センサ１１４とは、大きな水位差が取りにくくなることから、排水用とオーバフロー用との各水位が明確に異なる値として検出できるように機能させることが困難な問題がある。
【０００７】
また、加湿機１０１は、気化エレメント１０３を通過する空気の圧力によって、排水用ドレーン配管１１０を通じて圧力の加わった空気が排水タンク１０８に供給される。排水用ドレーン配管１１０は、下端の開口から落ちる水滴の飛散と不快な異音を防止するために、排水タンク１０８に貯められた水の水面に触れさせている。
このため、排水用ドレーン配管１１０で供給された空気は、排水タンク１０８内部に貯められた水に気泡を発生させ、この気泡が電極式の排水用水位センサ１１３、オーバフロー用水位センサ１１４に付着した場合、水位の誤検出を招く問題がある。
【０００８】
さらに、加湿機１０１は、排水タンク１０８の底面に発生する微生物（スライム）が増殖し、排水用ドレーン配管１１０の下端の開口に付着することがある。排水用ドレーン配管１１０は、微生物の付着によって開口が閉塞されると、気化エレメント１０３の落下水をエレメントケース１０７から排水タンク１０８に排出できなくなる。
このため、エレメントケース１０７に溜まる水は、やがてはオーバフローに至ることになる。エレメントケース１０７からのオーバフローは、排水タンク１０８外側での異常なオーバフローであるため、排水タンク１０８に設けたオーバフロー用水位センサ１１４が有効に機能せず、検出できない。
エレメントケース１０７からのオーバフローを検出する方策としては、エレメントケース１０７上に設置した水位センサにより検出を行う試みがある。しかし、エレメントケース１０７上に設置した水位センサは、気化エレメント１０３からわずかながら飛散する水や高湿空気の影響を免れないため、検出精度を確保しにくい問題がある。
【０００９】
この発明は、深さの確保しにくい排水タンク構造で、排水ポンプを制御するための排水用水位センサとオーバフローを検出するオーバフロー用水位センサとを、泡や微生物などによる不要な干渉を受けずに確実に機能させることができ、排水タンクからのオーバフロー及びエレメントケースからの異常なオーバフローを確実に検出することができる加湿機の漏水防止装置を提供することを目的とする。
【課題を解決するための手段】
【００１０】
この発明は、給水機構で供給される水を気化エレメントにより気化させて空気を加湿するとともに、前記気化エレメントを支持するエレメントケースに落下した水を排水タンクに貯めて排水機構により排出する加湿機の漏水防水装置において、前記エレメントケースは、前記気化エレメントから落下する水を貯める排水用ケース部と、この排水用ケース部の貯留最高水位を越えた水を貯めるオーバフロー用ケース部と、を備え、前記排水用ケース部は排水用ドレーン配管を備え、前記オーバフロー用ケース部はオーバフロー用ドレーン配管を備え、前記排水タンクは、前記排水用ケース部から前記排水用ドレーン配管で排出される水を溜める排水用タンク部と、この排水用タンク部の貯留最高水位を越えた水を貯めるとともに前記オーバフロー用ケース部からオーバフロー用ドレーン配管で排出される水を溜めるオーバフロー用タンク部とを備え、前記排水用タンクの水位が排水用水位に達したことを検出する排水用水位センサを備え、前記オーバフロー用タンク部の水の有無を検出するオーバフロー用水位センサを備え、前記排水用タンク部の水位が排水用水位に達したことを前記排水用水位センサが検出した場合、前記排水機構の排水ポンプを駆動して前記排水用タンク部の水を排出するとともに、前記オーバフロー用タンク部に水が有ることを前記オーバフロー水位センサが検出した場合、前記給水機構の給水バルブを閉じて前記気化エレメントへの給水を停止する制御部を備えることを特徴とする。
【発明の効果】
【００１１】
この発明は、排水タンクをエレメントケースへの落下水を貯める排水用タンク部と排水タンク部及びオーバフローケース部からオーバフローした水を貯めるオーバフロー用タンク部とに分け、それぞれに排水用水位センサとオーバフロー用水位センサとを設置し、排水用水位センサで排水用水位を検出して排水用タンク部の水を排出するとともに、オーバフロー水位センサでオーバフロー用タンク部に水有りを検出して気化エレメントへの給水を停止することで、深さの確保しにくい排水タンク構造で、排水ポンプを制御するための排水用水位センサとオーバフローを検出するオーバフロー用水位センサとを、泡や微生物などの不要な干渉を受けずに確実に機能させることができ、排水タンクからのオーバフロー及びエレメントケースからのオーバフローを確実に検出できる。
【図面の簡単な説明】
【００１２】
【図１】図１は加湿機の漏水防止装置のブロック図である。（実施例）
【図２】図２は加湿機の漏水防止装置のブロック図である。（従来例）
【発明を実施するための形態】
【００１３】
以下図面に基づいて、この発明の実施例を説明する。
【実施例】
【００１４】
図１は、この発明の実施例を示すものである。図１において、加湿機１は、気化用の水を供給する給水機構２と、この給水機構２で供給される水を気化させて空気を加湿する気化エレメント３とを備えている。給水機構２は、給水バルブ４を有する給水配管５と、給水配管５で給水される水を気化エレメント３に滴下する散水器６と、を備えている。気化エレメント３は、吸水性を有し、エレメントケース７により支持される。エレメントケース７は、気化エレメント３から落下した水を受ける。
前記エレメントケース７は、深底壁８と、この深底壁８に連続して深底壁８よりも上方に位置する浅底壁９と、深底壁８及び浅底壁９を囲む周壁１０と、により箱形状に形成される。エレメントケース７は、排水用ケース部１１と、オーバフロー用ケース部１２と、を備えている。排水用ケース部１１は、深底壁８と、この深底壁８を囲む周壁１０とにより形成される。オーバフロー用ケース部１２は、浅底壁９と、この浅底壁９を囲む周壁１０とにより形成される。
前記排水用ケース部１１は、気化エレメント３の下部を支持し、気化エレメント３から落下する水を貯める。気化エレメント３の落下水は、深底壁８上面から貯留最高水位Ｂ１の高さまで貯められる。排水用ケース部１１は、深底壁８に排水用ドレーン配管１３を備えている。排水用ドレーン配管１３は、排水用ケース部１１に貯まった気化エレメント３の落下水を排出する。
前記オーバフロー用ケース部１２は、浅底壁９上面を排水用ケース部１１の貯留最高水位Ｂ１と同じ高さに位置させている。オーバフロー用ケース部１２は、排水用ケース部８の貯留最高水位Ｂ１を越えた水を浅底壁９上に貯める。オーバフロー用ケース部１２は、浅底壁９にオーバフロー用ドレーン配管１４を備えている。オーバフロー用ドレーン配管１４は、排水用ケース部８の貯留最高水位Ｂ１を越えて浅底壁９上に流入した水を排出する。
【００１５】
加湿機１は、気化エレメント３からエレメントケース７に落下した水を貯める排水タンク１５を備え、排水タンク１５に貯められた水を排出する排水機構１６を備えている。
前記排水タンク１５は、第１底壁１７と、この第１底壁１７に連続する第２底壁１８と、第１底壁１７、第２底壁１８を囲む周壁１９と、対向する周壁１９の間で第１底壁１７及び第２底壁１８の間を仕切る隔壁２０と、により仕切り付き箱形状に形成される。排水タンク１５は、排水用タンク部２１と、オーバフロー用タンク部２２と、を備えている。排水用タンク部２１は、第１底壁１７と、第１底壁１７を囲む周壁１９及び隔壁２０とにより形成される。オーバフロー用タンク部２２は、第２底壁１８と、第２底壁１８囲む周壁１９及び隔壁２０とにより形成される。
前記排水用タンク部２１は、エレメントケース７の排水用ケース部１１下方に配置され、排水用ケース部８から排水用ドレーン配管１３で排出される水を溜める。排水用ドレーン配管１３は、下端の開口から落ちる水滴の飛散と不快な異音を防止するために、排水用タンク部２１に貯められた水の水面に触れさせている。排水用タンク部２１は、第１底壁１７上面から所定の高さに水の排出を開始するための排水用水位Ｂ２を設定し、排水用水位Ｂ２よりも上方で隔壁２０の上端を貯留最高水位Ｂ３に設定している。排水用タンク部２１の貯留最高水位Ｂ３を越えた水は、オーバフロー用タンク部２２に流入する。
【００１６】
前記オーバフロー用タンク部２２は、排水用タンク部２１の貯留最高水位Ｂ３を越えた水を貯めるとともに、オーバフロー用ケース部１２からオーバフロー用ドレーン配管１４で排出される水を溜める。
前記排水機構１６は、排水用タンク部２１の水を排出する排水ポンプ２３を有する排水配管２４を備え、排水用タンク部２１の水が排水用水位Ｂ２に達したことを検出する排水用水位センサ２５を備え、オーバフロー用タンク部２２の水の有無を検出するオーバフロー用水位センサ２６を備えている。オーバフロー用水位センサ２６は、第２底面１８の上面に配置され、電極構造を有し、導電性により第２底面１８の水の有無を検出する。
前記給水バルブ４と排水ポンプ２３と排水用水位センサ２５とオーバフロー用水位センサ２６とは、漏水防止装置２７を構成する制御部２８に接続されている。制御部２８は、排水用タンク部２１の水位が排水用水位Ｂ２に達したことを排水用水位センサ２５が検出した場合、排水ポンプ２３を駆動して排水用タンク部２１の水を排水配管２４で外部に排出する。また、制御部２８は、オーバフロー用タンク部２２に水が有ることをオーバフロー水位センサ２６が検出した場合、給水機構２の給水バルブ４を閉じて気化エレメント３への給水を停止する。
【００１７】
次に、作用を説明する。
加湿機１は、気化エレメント３からエレメントケース７の排水用ケース部１１に落下した水を、排水用ドレーン配管１３で排出して排水用タンク部２１に貯める。
漏水防止装置２７は、制御部２８によって、排水用タンク部２１の水位が排水用水位Ｂ２に達したことを排水用水位センサ２５が検出した場合、排水ポンプ２３を駆動して排水用タンク部２１の水を排水配管２４で外部に排出することで、排水用タンク部２１から外部への漏水を防止する。
また、加湿機１は、排水用タンク部２１に貯められた水が貯留最高水位Ｂ３を越えると、オーバフロー用タンク部２２に水が流れ込む。オーバフロー用タンク部２２に流れ込んだ水は、オーバフロー水位センサ２６によって水有りを検出される。
漏水防止装置２７は、制御部２８によって、オーバフロー水位センサ２６が水有りを検出した場合、給水機構２の給水バルブ４を閉じて気化エレメント３への給水を停止することで、排水用タンク部２１から外部への漏水を防止する。
さらに、加湿機１は、泡や微生物によって排水用ドレーン配管１３が閉塞され、排水用ケース部１１の水を排水用タンク部２１に排出できなくなり、排水用ケース部１１の水が貯留最高水位Ｂ１を越えてオーバフロー用ケース部１２に流入した場合、オーバフロー用ドレーン配管１４でオーバフロー用タンク部２２に排出することで、排水用ケース部１１から外部への漏水を防止する。オーバフロー用タンク部２２に流れ込んだ水は、オーバフロー水位センサ２６によって水有りを検出される。
漏水防止装置２７は、制御部２８によって、オーバフロー水位センサ２６が水有りを検出した場合、給水機構２の給水バルブ４を閉じて気化エレメント３への給水を停止することで、排水用ケース部１１から外部への漏水を防止する。
【００１８】
このように、加湿機１の漏水防止装置２７は、排水タンク１５をエレメントケース７への落下水を貯める排水用タンク部２１と排水タンク部２１及びオーバフローケース部１２からオーバフローした水を貯めるオーバフロー用タンク部２２とに分け、それぞれに排水用水位センサ２５とオーバフロー用水位センサ２６とを設置し、排水用水位センサ２５で排水用水位を検出して排水用タンク部２１の水を排出するとともに、オーバフロー水位センサ２６でオーバフロー用タンク部２２に水有りを検出して気化エレメント３への給水を停止する。
これにより、加湿機１の漏水防止装置２７は、深さの確保しにくい排水タンク構造で、排水ポンプ２３を制御するための排水用水位センサ２５とオーバフローを検出するオーバフロー用水位センサ２６とを、泡や微生物などの不要な干渉を受けずに確実に機能させることができ、排水タンク１５からのオーバフロー及びエレメントケース７からのオーバフローを確実に検出できる。
【００１９】
なお、この実施例においては、排水タンク１５の排水用タンク部２１とオーバフロー用タンク部２２とを一体に形成したが、排水用タンク部２１とオーバフロー用タンク部２２とを別体に形成することもできる。
例えば、排水タンク１５は、別体の排水用タンク部２１とオーバフロー用タンク部２２とを高低差を設けて配置してオーバフロー用配管で接続し、落差によって排水用タンク部２１からオーバフロー用タンク部２２へオーバフロー用配管を通じて排水するようにすることも可能である。
【産業上の利用可能性】
【００２０】
この発明の加湿機の漏水防止装置は、排水用水位センサとオーバフローを検出するオーバフロー用水位センサとを、泡や微生物などの不要な干渉を受けずに確実に機能させることができ、排水タンクからのオーバフロー及びエレメントケースからのオーバフローを確実に検出できるものであり、加湿機に限らず、液体を溜める構造の機器に適用することができる。
【符号の説明】
【００２１】
１  加湿機
２  給水機構
３  気化エレメント
４  給水バルブ
５  給水配管
６  散水器
７  エレメントケース
１１  排水用ケース部
１２  オーバフロー用ケース部
１３  排水用ドレーン配管
１４  オーバフロー用ドレーン配管
１５  排水タンク
１６  排水機構
２１  排水用タンク部
２２  オーバフロー用タンク部
２３  排水ポンプ
２４  排水配管
２５  排水用水位センサ
２６  オーバフロー用水位センサ
２７  漏水防止装置
２８  制御部
【図１】
2015075248.tif 000003
【図２】
2015075248.tif 000004